(57)【要約】【課題】歩幅及び歩行速度の微細な変化傾向を高精度で検出し得るレコーディング装置、携帯端末、解析装置、プログラム及び記憶媒体を提案する。【解決手段】携帯端末及び解析装置を備えたレコーディング装置において、携帯端末は、ＧＰＳ等位置計測装置及びセンサを備え、ＧＰＳ等位置計測装置から携帯端末の位置情報を取得し、センサから歩行者が平坦かつ直線を歩行しているか否かを示す計測情報を取得し、計測情報に基づいて、位置情報のうちの歩行者が平坦かつ直線を歩行している場合の位置情報のみを抽出し、抽出した位置情報に基づいて、歩行者の歩行速度及び歩幅を算出し、解析装置は、携帯端末により算出された歩行速度及び歩幅と、同一歩行者の過去の歩行速度及び歩幅とを比較し、歩行速度及び歩幅の変化を歩行者に通知する。
2016043081.tif 000002
【特許請求の範囲】
【請求項１】
携帯端末及び解析装置を備えたレコーディング装置において、
前記携帯端末は、
ＧＰＳ等位置計測装置及びセンサを備え、
前記ＧＰＳ等位置計測装置から前記携帯端末の位置情報を取得し、
前記センサから歩行者が平坦かつ直線を歩行しているか否かを示す計測情報を取得し、
前記計測情報に基づいて、前記位置情報のうちの歩行者が平坦かつ直線を歩行している場合の位置情報のみを抽出し、
前記抽出した位置情報に基づいて、歩行者の歩行速度及び歩幅を算出し、
前記解析装置は、
前記携帯端末により算出された歩行速度及び歩幅と、同一歩行者の過去の歩行速度及び歩幅とを比較し、歩行速度及び歩幅の変化を歩行者に通知する
ことを特徴とするレコーディング装置。
【請求項２】
前記携帯端末は、
前記ＧＰＳ等位置計測装置から前記携帯端末の位置情報を常時取得する
ことを特徴とする請求項１に記載のレコーディング装置。
【請求項３】
前記携帯端末は、
前記センサから歩行者が平坦かつ直線を歩行しているか否かを示し、かつ、一定時間一定以上のテンポで歩行しているか否かを示す計測情報を取得し、
前記計測情報に基づいて、前記位置情報のうちの歩行者が平坦かつ直線を一定時間一定以上のテンポで歩行している場合の位置情報のみを抽出する
ことを特徴とする請求項１に記載のレコーディング装置。
【請求項４】
前記携帯端末は、
前記計測情報により、一定時間、歩数カウントのテンポが一定以上継続した場合、前記ＧＰＳ等位置計測装置を作動させて、前記位置情報を取得する
ことを特徴とする請求項１に記載のレコーディング装置。
【請求項５】
前記携帯端末は、
前記計測情報により、歩行速度の加速、減速あるいは歩行方向の変化を判別したことに基づいて位置情報抽出の対象とする時間帯を定める
ことを特徴とする請求項１に記載のレコーディング装置。
【請求項６】
前記携帯端末は、
前記位置情報と前記位置情報の取得時刻とに基づいて、多変量解析によって計測誤差を縮小させることにより歩行速度を算出する
ことを特徴とする請求項１に記載のレコーディング装置。
【請求項７】
前記解析装置は、
前記携帯端末により算出された歩行速度に基づいて、回帰分析によって一定期間の歩行速度及び歩幅の変化傾向を解析する
ことを特徴とする請求項１に記載のレコーディング装置。
【請求項８】
前記解析装置は、
歩行速度及び歩幅の変化傾向を歩行者に通知し、歩行速度の一定以上の低下傾向がある場合、歩行能力を回復させる手段を歩行者に通知する
ことを特徴とする請求項６に記載のレコーディング装置。
【請求項９】
前記解析装置は、
前記携帯端末により算出された歩行速度及び歩幅と、他の歩行者の携帯端末により算出された歩行速度及び歩幅とを比較し、歩行速度及び歩幅の変化を歩行者に通知する
ことを特徴とする請求項１に記載のレコーディング装置。
【請求項１０】
前記センサは、
歩数のカウント及び歩行速度の加速、減速情報を検出する加速度センサと、歩行方向の変化を検出するジャイロセンサと、歩行路が直線であるかを検出する磁気センサと歩行路が平坦であるかを検出する気圧センサとを備える
ことを特徴とする請求項１に記載のレコーディング装置。
【請求項１１】
歩行速度及び歩幅を検出する携帯端末において、
ＣＰＵ、ＧＰＳ等位置計測装置及びセンサを備え、
前記ＣＰＵは、
前記ＧＰＳ等位置計測装置から前記携帯端末の位置情報を取得し、
前記センサから歩行者が平坦かつ直線を歩行しているか否かを示す計測情報を取得し、
前記計測情報に基づいて、前記位置情報のうちの歩行者が平坦かつ直線を歩行している場合の位置情報のみを抽出し、
前記抽出した位置情報に基づいて、歩行者の歩行速度及び歩幅を算出する
ことを特徴とする携帯端末。
【請求項１２】
歩行速度及び歩幅を解析する解析装置において、
前記携帯端末により算出された歩行速度及び歩幅と、同一歩行者の過去の歩行速度及び歩幅とを比較し、歩行速度及び歩幅の変化を歩行者に通知する
ことを特徴とする解析装置。
【請求項１３】
歩行速度及び歩幅を検出する携帯端末のコンピュータに、
前記ＧＰＳ等位置計測装置から前記携帯端末の位置情報を取得する第１のステップと、
前記センサから歩行者が平坦かつ直線を歩行しているか否かを示す計測情報を取得第２のステップと、
前記計測情報に基づいて、前記位置情報のうちの歩行者が平坦かつ直線を歩行している場合の位置情報のみを抽出する第３のステップと、
前記抽出した位置情報に基づいて、歩行者の歩行速度及び歩幅を算出する第４のステップとを実行させる
ことを特徴とするプログラム。
【請求項１４】
歩行速度及び歩幅を解析する解析装置のコンピュータに、
前記携帯端末により算出された歩行速度及び歩幅と、同一歩行者の過去の歩行速度及び歩幅とを比較する第１のステップと、
歩行速度及び歩幅の変化を歩行者に通知する第２のステップとを実行させる
ことを特徴とするプログラム。
【請求項１５】
歩行速度及び歩幅を検出する携帯端末のコンピュータに、
前記ＧＰＳ等位置計測装置から前記携帯端末の位置情報を取得する第１のステップと、
前記センサから歩行者が平坦かつ直線を歩行しているか否かを示す計測情報を取得第２のステップと、
前記計測情報に基づいて、前記位置情報のうちの歩行者が平坦かつ直線を歩行している場合の位置情報のみを抽出する第３のステップと、
前記抽出した位置情報に基づいて、歩行者の歩行速度及び歩幅を算出する第４のステップと
を実行させるためのプログラムを記録したコンピュータ読み取り可能な記録媒体。
【請求項１６】
歩行速度及び歩幅を解析する解析装置のコンピュータに、
前記携帯端末により算出された歩行速度及び歩幅と、同一歩行者の過去の歩行速度及び歩幅とを比較する第１のステップと、
歩行速度及び歩幅の変化を歩行者に通知する第２のステップと
を実行させるためのプログラムを記録したコンピュータ読み取り可能な記録媒体。
【発明の詳細な説明】
【技術分野】
【０００１】
本発明は、レコーディング装置、携帯端末、解析装置及び記憶装置に関し、特に歩行者の歩行速度及び歩幅を計測するレコーディング装置、携帯端末、解析装置、プログラム及び記憶媒体に適用して好適なものである。
【背景技術】
【０００２】
高齢者は年齢とともに歩行速度が遅くなること、近年においては同年齢でも歩行速度が速まってきていることが解明されている。又、一般に肉体的な衰えと共に歩幅が狭くなっていく傾向にあることが知られている。【０００３】
又、近年、携帯端末に加速度、気圧、磁気、ジャイロ等各センサ、ＧＰＳが付属し普及してきている。以下、ＧＰＳ等位置計測という場合は、準天頂衛星などで構成されるものを含むＧＰＳその他の衛星測位システムによる位置計測を意味し、ＧＰＳ信号とは、ＧＰＳ及びその他の衛星測位システムで計測された位置情報を示す。【０００４】
特許文献１には、ＧＰＳと併用して加速度センサ、地磁気センサ及びジャイロセンサを組み合わせることにより歩幅を検出することが開示されている。より具体的には、ＧＰＳ情報を精度よく取得できない場所では、加速度センサ、地磁気センサ及びジャイロセンサ等を使用することにより正確に歩幅を検出することが開示されている。
【先行技術文献】
【特許文献】
【０００５】
【特許文献１】特開２００４−１６３１６８号公報
【発明の概要】
【発明が解決しようとする課題】
【０００６】
ところで既に社会保障給付費は１００兆円を超え、今後も医療費や介護費用の急増が懸念され、健康寿命の延伸は本人にとってのみならず、経済的観点からも社会的課題になっている。歩行能力の喪失は老化に伴う最初の障害であり、要介護リスク、生存率や認知症などとの関係性を研究した論文が多数発表されているように、健康寿命の延伸の鍵となるものである。【０００７】
９０歳というような高齢になっても筋力を回復できることが科学的に実証されており、一旦は要介護になってもそこから回復している事例も少なくないが、社会全体への普及という観点からは、一旦虚弱になれば回復は不可能という一般的な認識も阻害要因となって、虚弱化した高齢者を回復させる方法論を確立できていない。【０００８】
歩行能力は徐々に低下していくため、虚弱な本人自身に意外にも自覚がない場合が多く、周囲も歳のせいと捉え、大半は回復の機会を見逃してしまっている。日常的に使えて虚弱化の状態を客観的に捉えられるリスク評価指標がなく、回復手段の効果を客観的に捉える効果計測指標もないため、実際は有効な回復手段があるにも拘わらず普及できていない。自信を失いがちな虚弱高齢者の回復には意欲喚起、意欲維持が極めて重要であるが、徐々にしか進まない微細な回復傾向を客観的に示せないことも、回復に向けた努力の継続を困難にしている。【０００９】
本発明の歩行速度及び歩幅を計測するレコーディング装置は、既にある虚弱高齢者の回復手段と併せ、虚弱化の状態（リスク）評価、効果評価を行うことにより、回復手段の効果と再現性の検証を可能にし、これにより健康寿命延伸の方法論の確立に寄与する。当然に、虚弱になる前の健常な状態においても、体力的な若さを維持回復させるための評価指標として有効である。【００１０】
健康増進のために日々の歩数は良く意識されているが、その歩幅や歩行速度の変化は、精緻な計測が難しいこと、長期間同一条件で計測しないとその微細な変化を把握できないことから、一部の研究を除いて一般生活者の日常生活において意識されることは稀である。【００１１】
突然の重篤な体調悪化がない限り、人はいずれ老化に伴い徐々に歩行速度が低下していく。仮に６５歳で６０ｍ／分の歩行速度が８５歳に０ｍ／分になるとすれば、この間に年平均△３ｍ／分低下する。年平均△１ｍ／分程度の低下であれば、８５歳時点でも４０ｍ／分の歩行速度を維持できるため、生活上支障はさほどないだろうが、ある時点から年平均△２ｍ／分以上の速さで低下し始めれば、早晩様々な支障を来してくる。従って、この１％／年内外の小さな変化をタイミング良く把握することが重要になる。【００１２】
速度変化が年に数％と小さければ、本人はその低下に気付かない。しかし、速度の低下傾向が加速し始め、また歩幅が狭くなり始めの時期にタイミング良く気付きを得て、まだ頑張りが効く段階で努力すれば、虚弱化を防ぎ、健康寿命を延伸できる可能性が高い。馴染みの薄い個人の歩幅及び歩行速度の変化量が有意なものになるためには、同一条件下において高精度な歩幅及び歩行速度の計測値を得ること、またその評価基準、具体的にはそれら計測値の経時変化（レコーディング）、同属性集団における平均値、及び標準偏差あるいは分布状況などが必要である。【００１３】
また、その平均値等の評価基準は時代と共に変化するため、評価基準を継続的に修正していくための計測値の蓄積の仕組みも望まれる。【００１４】
すべての人は必ず老いるため、突然の重篤な疾病や事故でもない限り、多くの人は歩行速度低下量が拡大していくような変化を確実に経験する。
人の歩行速度は概ね４ｋｍ／ｈ（６７ｍ／分）前後、６５歳から７４歳にかけて６０ｍ／分に低下すると言われている。道路の青信号は歩行速度１ｍ／秒（６０ｍ／分）を基準に設定されており、速度が３５ｍ／分前後になると広幅員街路を青信号の内に横断しきれなくなる。その頃になると、体は目に見えて衰え、歩行速度も急激に落ち始める。【００１５】
そうなる前に気付きを得るには、歩行速度低下量として年間で概ね△２ｍ／分ないし△３ｍ／分、３か月の比較的短期間で捉えるとすると速度低下傾向として△０．５〜０．７ｍ／分程度の小さな変化を判別する必要がある。これは歩行速度の１〜２％に相当し、９９％以上の高い確度で判別するには、計測誤差の標準偏差が１％を大きく下回る高精度の歩行速度変化傾向判別機能が求められる。同様に、歩幅の狭まりを高精度で計測できる機能が望まれる。【００１６】
これまでも携帯端末によって歩行速度を算出する仕組みは多数開発されてきているが、下記の様々な理由から、十分に高い精度で歩行速度及び歩幅の時系列の微細な変化量を検出することが難しかった。【００１７】
同一条件の歩行環境及び歩行状態下での計測を時系列で、また多人数共通して実現することが難しかった。同一の歩行環境及び歩行状態となりうる条件は、本発明においては、平坦かつ直線状の歩行路であることと、計測時の機器操作を不要とし、また端末の保持位置を限定せず、可能な限り計測を意識させないことと定める。【００１８】
歩行路が折れ曲がるか曲線であれば、実際上、同一条件下となるものは同一経路しかなくなる。装置の保持の仕方が限定され、あるいは計測時にボタン操作などが必要であれば、多くの人が長期間計測し続けることは実際上困難である。計測を意識すれば、その意識が歩行速度に及ぼす影響は人によって、また同一人物でもその時の気分その他によって度合いが異なってくる。【００１９】
また、見知らぬ道は、歩行速度が遅くなりがちである。加えて、雨天や気温その他の天候によっても歩行速度は変わることが想定され、同一条件下での計測値のみを抽出して解析することが望ましい。因みにこの他にも、荷物の有無、一人か連れだって歩いているかなど幾つかの歩行速度変化要因が想定される。本発明のレコーディング装置は、加速度センサの計測結果により一定時間内に安定的な歩数カウントが持続しているかを判断し、安定的な歩数カウントが持続してない場合は異常値として除外して処理する。位置情報から計測値を選別しても良い。【００２０】
また、こうした要因を機械的に判別できない場合、本明細書００７５項から００８０項のように、相対的に発生頻度が低く平均値より乖離が大きい値のデータを異常値として除外するなど統計的手法により処理する。【００２１】
既存のシステムでは、計測時に歩行者の操作を伴うものが少なくない。
なお、同一人に限れば、直線平坦でない歩行路に限定して変化を見ることとしても良い。【００２２】
加速度センサを用いて歩行速度を計測する場合は、計測開始時の加速段階の計測誤差がその後も残り続け、なおかつ時間の経過と共に計測誤差が累積して大きくなる。【００２３】
加速度センサではまた、個人特性や端末の持ち方及び癖に起因する計測誤差が大きく、同一人の多数回の歩行速度計測値を解析してもこの誤差は縮小できない。既存の加速度センサを用いた歩行速度の計測誤差は８〜２０％と言われているが、上記のような理由から、計測精度はまったく期待できない。【００２４】
他方で、ＧＰＳ信号による位置計測を用いる場合は、少なくとも現時点では計測誤差が大きく、算定結果をそのまま利用して精度の高い歩行速度を算出することはできない。またＧＰＳ信号での位置計測は、消費電力が大きいという課題もある。【００２５】
いつの時点から体が急激に衰えるかは誰も事前にわからないので、歩行速度の低下傾向は数年以上の長期に渡って解析し続けることが望まれる。数年間計測を継続するには、事前操作を必要とし、あるいは端末の持ち方を制約するようなものは適さない。特に、虚弱化の懸念がある多数の高齢者に対して継続的な機器操作を求めることは難しい。常に持ち歩く携帯端末などの端末だけで自動的に計測し続けられる仕組みが望まれる。意識すれば歩き方は普段と異なってくるので、この点でも無意識時の自動計測が求められる。【００２６】
以上、歩行速度の時系列変化から虚弱化の早期の予兆となる歩行速度低下傾向を判別するには、あるいは歩行速度の改善傾向を判別するには、(1)歩行速度変化傾向判別機能として、例えば３ヶ月間で１％以下の速度変化の違いを９９％以上の確度で判別できるような高精度の計測機能、(2)計測時の機器操作を不要とする自動計測機能、(3)計測した歩行環境と歩行状態が同一であることの確認機能の３つの条件を満たしている必要がある。【００２７】
従来の技術では、計測精度が低いために(1)の条件を満たせないだけでなく、歩行速度の計測だけを目的として、その時系列変化、多人数との比較に主眼を置いていなかったために、(2)と(3)の条件を同時に満たす計測方法は考案されていない。【００２８】
また、多人数の歩行速度や歩幅の低下傾向ないし改善傾向を解析し、その知見を健康増進効果が期待できる製品及びサービスの販売促進に活用する場合、また、その改善効果を検証していくような事業を想定した場合は、その前提として解析に耐えうる多人数の質の高い歩行速度データや歩幅データを収集する必要がある。そのためにも、上述した(1)計測精度、(2)自動計測、(3)同一環境及び状態確認の３条件を満たした計測方法が必要になる。【００２９】
何らかの製品やサービスによる３か月程度の短期間の歩行速度改善効果、１年間程度の長期間の歩行速度維持効果が判別できれば、歩行速度の維持・改善は健康寿命の延伸につながると考えられるため、新たな健康マーケットを開拓できる可能性がある。【００３０】
本発明は以上の点を考慮してなされたものであり、歩幅及び歩行速度の微細な変化傾向を高精度で検出し得るレコーディング装置、携帯端末、解析装置、プログラム及び記憶媒体を提案するものである。
【課題を解決するための手段】
【００３１】
かかる課題を解決するために、本発明においては、携帯端末及び解析装置を備えたレコーディング装置において、前記携帯端末は、ＧＰＳ等位置計測装置及びセンサを備え、前記ＧＰＳ等位置計測装置から前記携帯端末の位置情報を取得し、前記センサから歩行者が平坦かつ直線を歩行しているか否かを示す計測情報を取得し、前記計測情報に基づいて、前記位置情報のうちの歩行者が平坦かつ直線を歩行している場合の位置情報のみを抽出し、前記抽出した位置情報に基づいて、歩行者の歩行速度及び歩幅を算出し、前記解析装置は、前記携帯端末により算出された歩行速度及び歩幅と、同一歩行者の過去の歩行速度及び歩幅とを比較し、歩行速度及び歩幅の変化を歩行者に通知するようにした。【００３２】
また、本発明においては、歩行速度及び歩幅を検出する携帯端末において、プロセッサ、ＧＰＳ等位置計測装置及びセンサを備え、前記プロセッサは、前記ＧＰＳ等位置計測装置から前記携帯端末の位置情報を取得し、前記センサから歩行者が平坦かつ直線を歩行しているか否かを示す計測情報を取得し、前記計測情報に基づいて、前記位置情報のうちの歩行者が平坦かつ直線を歩行している場合の位置情報のみを抽出し、前記抽出した位置情報に基づいて、歩行者の歩行速度及び歩幅を算出するようにした。【００３３】
また、本発明においては、歩行速度及び歩幅を解析する解析装置において、前記携帯端末により算出された歩行速度及び歩幅と、同一歩行者の過去の歩行速度及び歩幅とを比較し、歩行速度及び歩幅の変化を歩行者に通知するようにした。【００３４】
また、本発明においては、歩行速度及び歩幅を検出する携帯端末のコンピュータに、前記ＧＰＳ等位置計測装置から前記携帯端末の位置情報を取得する第１のステップと、前記センサから歩行者が平坦かつ直線を歩行しているか否かを示す計測情報を取得第２のステップと、前記計測情報に基づいて、前記位置情報のうちの歩行者が平坦かつ直線を歩行している場合の位置情報のみを抽出する第３のステップと、前記抽出した位置情報に基づいて、歩行者の歩行速度及び歩幅を算出する第４のステップとを実行させるようにした。【００３５】
また、本発明においては、歩行速度及び歩幅を解析する解析装置のコンピュータに、前記携帯端末により算出された歩行速度及び歩幅と、同一歩行者の過去の歩行速度及び歩幅とを比較する第１のステップと、歩行速度及び歩幅の変化を歩行者に通知する第２のステップとを実行させるようにした。【００３６】
尚、携帯端末のコンピュータでＧＰＳ信号とセンサ情報を取得し、ＧＰＳ信号から位置の座標を計算するプロセスやセンサ情報から平坦直線歩行であるか否かを判別するプロセスを解析装置のコンピュータで行うこととしても良い。【００３７】
また、本発明においては、歩行速度及び歩幅を検出する携帯端末のコンピュータに、前記ＧＰＳ等位置計測装置から前記携帯端末の位置情報を取得する第１のステップと、前記センサから歩行者が平坦かつ直線を歩行しているか否かを示す計測情報を取得第２のステップと、前記計測情報に基づいて、前記位置情報のうちの歩行者が平坦かつ直線を歩行している場合の位置情報のみを抽出する第３のステップと、前記抽出した位置情報に基づいて、歩行者の歩行速度及び歩幅を算出する第４のステップとを実行させるためのプログラムを記録し、コンピュータ読み取り可能にするようにした。【００３８】
また、本発明においては、歩行速度及び歩幅を解析する解析装置のコンピュータに、前記携帯端末により算出された歩行速度及び歩幅と、同一歩行者の過去の歩行速度及び歩幅とを比較する第１のステップと、歩行速度及び歩幅の変化を歩行者に通知する第２のステップとを実行させるためのプログラムを記録し、コンピュータ読み取り可能にするようにした。
【発明の効果】
【００３９】
本発明によれば、歩幅及び歩行速度の微細な変化傾向を高精度で検出することができる。
【図面の簡単な説明】
【００４０】
【図１】レコーディング装置の全体構成図である。
【図２】レコーディング処理のフローチャートである。
【発明を実施するための形態】
【００４１】
図１は、本実施の形態におけるレコーディング装置１の全体構成を示す。レコーディング装置１は、携帯端末１０及び解析装置５０を備える。これら携帯端末１０及び解析装置５０は、互いに通信可能に接続される。
【００４２】
携帯端末１０は、ＣＰＵ（Central  Processing  Unit）１１、記憶装置１２、センサ１３、通信装置１４及びＧＰＳ等位置計測装置１５を備える。ＣＰＵ１１は、記憶装置１２に格納されている各種プログラムと協働して、携帯端末１０の動作を統括的に制御するプロセッサである。
【００４３】
また解析装置５０は、ＣＰＵ５１、記憶装置５２及び通信装置５３を備える。以下、携帯端末１０及び解析装置５０の詳細な構成及び処理について、図２を参照して説明する。
【００４４】
図２は、本実施の形態におけるレコーディング処理の処理手順を示す。まず携帯端末は、センサ１３に予め備えられた時計、センサ１３、ＧＰＳ等位置計測装置１５、ＣＰＵ１１及び通信装置１４を組み合わせることにより処理を実行する。
【００４５】
センサ１３は、加速度センサと、ジャイロセンサと、磁気センサと、気圧センサとから構成される。加速度センサは、歩行速度計測においては累積する計測誤差が問題とはなるが、一定時間内の安定的な歩数カウントの持続や歩行速度の変化量を判別するには十分に高い精度を得られる。また、気圧センサやジャイロセンサ及び磁気センサは、歩行路が平坦であるか、あるいは道が大きく曲がったかあるいは角を曲がったかを十分に高い精度で判別する。
【００４６】
本発明は、センサ１３による平坦直線状の歩行路の自動抽出と、そこから特定される歩行時間内の３地点以上の複数時刻のＧＰＳ信号を活用することにより、加速度センサのみ、あるいはＧＰＳ信号に基づく２地点間の位置計測を用いるより高い精度の歩行速度計測を実現する。
【００４７】
なお、一定時間内の歩数は、加速度センサにより取得できるため、時間、歩行速度、歩数から平均歩幅の算出も可能となる。
【００４８】
【数１】
2016043081.tif 000003
【００４９】
なお、歩幅を算出するための歩行所要時間の開始時刻と終了時刻はＧＰＳ等の位置計測時刻と合致させる必要がなく、歩数をカウントすると同様に、加速度のピーク時刻などを用いることで、歩行速度と同精度の歩幅計測及び同変化傾向判別機能を実現できる。
【００５０】
また式１により一日の歩行消費エネルギー量（Ｋｃａｌ）の推定が可能になる。
【００５１】
【数２】
2016043081.tif 000004
【００５２】
ＣＰＵ１１は、携帯端末内の時計を用い、また記憶装置１２に格納された加速度センサによって収集した計測値から、ＧＰＳ等位置計測装置１５の作動タイミングを決定する。具体的には、ＣＰＵ１１がＧＰＳ等位置計測装置１５の作動のタイミングを決定するためのアルゴリズムは以下のようになる。
【００５３】
通常、室内において例えば６０秒以上のような長めの時間、安定的なテンポで歩行し続けることは稀である。大規模ビルや商業ビルではそのような場合もあるが、ＣＰＵ１１は、屋内又はビル間などにいるために十分な数のＧＰＳ信号を取得できない場合は、取得したＧＰＳ信号を廃棄するなどして、位置計測を行わない。
【００５４】
通常、立ち止まった状態、つまり歩数カウントがほぼ休止している状態から、歩行方向への速度は０ｋｍ／ｈから次第に高まり、３ｋｍ／ｈないし５ｋｍ／ｈ程度のあたりで安定的な歩行状態に移行する。その後に安定的な歩行状態が数十ｍ、時間にして例えば３０秒ないし６０秒以上継続するようであれば、屋外に出たためにその後にもっと長い距離を歩く可能性が高いと推定できる。
【００５５】
このように一定時間以上、一定以上のテンポで歩数カウントが持続した場合に、ＣＰＵ１１は、その端末所持者が屋外で歩行を始めたと推定し、ＧＰＳ等位置計測装置１５の作動タイミングの決定を行う（Ｓｔｅｐ１）。従って、ここまでの判別は、ＧＰＳ信号を取得せずとも、加速度センサでの歩数カウントだけでも判別が可能である。この判別基準は、端末保持者４０の過去の履歴から個別に定めてもよい。
【００５６】
そして、その後ＣＰＵ１１は、ＧＰＳ等位置計測装置１５を作動し（Ｓｔｅｐ２）、一定時間内の複数時刻のＧＰＳ信号を記憶装置１２に蓄積していく（Ｓｔｅｐ３）。
【００５７】
端末所持者が信号などで一旦歩行を止めて歩数カウントが小休止した場合、あるいはジャイロセンサ及び磁気センサで歩行方向を変えたと判別できた場合において、加速再開後ないしは歩行方向転換後、数秒後に加速度センサによって一定時間以上一定以上のテンポで歩数カウントが持続したと計測され、安定歩行状態に入ったことが判別された場合は、ＣＰＵ１１は一定時間内の複数時刻のＧＰＳ信号を記憶装置１２に蓄積していく（Ｓｔｅｐ３）。
【００５８】
あるいは、歩数が安定的にカウントされていたのに歩数カウントが急速に遅くなり、あるいは大きく減速したりしたような場合においては、直線平坦路の歩行が終わった可能性があるとして、ＣＰＵ１１は、ＧＰＳ等位置計測装置１５を停止し、それまでの安定的な歩行カウントの間のＧＰＳ信号のみを記憶装置１２に蓄積していくようにしても良い（Ｓｔｅｐ３）。
【００５９】
安定的な歩行の開始時刻や終了時刻を見定めずに、全ての端末保持者４０の位置情報から歩行速度を算定しようとすれば、不可能ではないが、膨大な計算量が必要になってしまう。この場合は、実際の地図情報と取得したＧＰＳ信号とを照合して解析対象の計測値を抽出する方法も考えられる。
【００６０】
街区が小さい地域においては、歩行開始直後又は、方向転換直後の安定歩行に入ったタイミングでＧＰＳ信号の蓄積を開始する方が、有効な計測値を効率的に蓄積できる確率が高い。
【００６１】
なお、このＧＰＳ信号の蓄積は、予め定めた時間、例えば６０秒（歩行速度６０ｍ／分で６０ｍ）継続する。ＧＰＳ信号の取得時間間隔は任意に定めてよいし、必ずしも一定時間間隔でなくてもよい。端末保持者４０のそれまでの歩行速度履歴から、端末保持者４０毎に蓄積時間を変えてもよい。
【００６２】
なお、上記では、加速度センサによる歩数カウントで屋外歩行開始を判断しているが、ＧＰＳ信号による計測位置の移動に基づいてその判断を行っても良い。更に、上記は室内における歩行速度計測を排除するものでもない。また、自動車、自転車、車椅子でも通常歩行と同程度の歩行速度で移動する場合があるが、これは加速度センサによる歩数カウントで判別できる。また、携帯端末によって、通話中や携帯端末の画面操作中の歩行と通常歩行との判別ができる。
【００６３】
次に、ＣＰＵ１１は、センサ１３の情報から平坦で直線状の歩行路を安定的な速度で歩いているか、加速時、減速時、方向転換時であるかを判別し、またその計測時間内に十分な数のＧＰＳ信号が得られ続けたかを判別する（Ｓｔｅｐ４）。
【００６４】
なお、平坦で直線状の歩行路を安定的な速度で歩いているか、加速時、減速時、方向転換時であるかを判別する方法は、以下のようにして行う。通常の歩行時においては、歩行速度は一定でも、体は上下動を繰り返しているため、加速度センサによって立ち止まっている状態と区別できるし、歩数もカウントできる。加速時や減速時も判別できる。ジャイロセンサでは、歩行の向きを変えたときに大きな変化が現れるため、それによって判別する。磁気センサで、歩行方向の変化や、歩行路が曲っているか直線かを判別する。気圧センサでは、歩行路が平坦であるか坂になっているかを高い精度で判別する。
【００６５】
なお、緩やかに曲がっている道では、加速度センサやジャイロセンサで歩行路が直線か曲がっているかを明確に判別できない場合があり、緩やかな坂道では気圧センサで平坦路と区別できない場合もある。その場合は、推定歩行路を実際の地図に当てはめ、平坦直線路であるか否かを判別してもよい。また省電力のため、時計で計測時間帯を限定してもよい。
【００６６】
Ｓｔｅｐ３により定めたＧＰＳ信号蓄積時間内に歩数カウントが休止し、歩行を一旦止めて立ち止まったと判別した場合、又はジャイロセンサによって歩く方向を変えたと判別した場合、又は磁気センサによって歩行路が直線平坦路で無いと判別した場合は、ＣＰＵ１１は、それまでに記憶装置１２に蓄積したＧＰＳ信号を廃棄する（Ｓｔｅｐ５）。
【００６７】
そして、ＣＰＵ１１は、新たな直線平坦路の歩行に入った可能性があると判別した際に、ＧＰＳ信号の蓄積を新たに開始する。なお、歩数カウントのペースが急にゆっくり、あるいは速くなった場合、急激な加速や減速があった場合も同様に処理する。また、一定時間以上歩数カウントが進まない場合又は歩数カウントのカウント数が極めて少ない場合は、ＣＰＵ１１は端末所持者が屋外歩行を中止したと判別し、ＧＰＳ等位置計測装置１５の作動を止めてもよい。
【００６８】
次に、Ｓｔｅｐ４によって抽出され、一定時間、例えば数十秒間のＧＰＳ信号から取得される位置情報に基づいて、ＣＰＵ１１は、後述する手法を用いて精度の高い歩行速度を算出する（Ｓｔｅｐ６）。なお、携帯端末１０から解析装置５０に対して歩幅を示す情報を送信するとしてもよい。
【００６９】
Ｓｔｅｐ４において取得されたＧＰＳ信号から、各ＧＰＳ信号取得時刻の計測位置座標（Ｘｉ、Ｙi）を取得する。但し、この取得した位置座標自体はまだ精度が低い。なお、ＧＰＳ信号だけでなく、無線ＬＡＮなどを用いて計測位置を補正してもよい。
【００７０】
計測対象歩行路を直線としているため、Ｔｉを各ＧＰＳ信号取得時刻とし、そのＧＰＳ信号取得時間帯の歩行路を００６５項の式で表す直線として、推定位置座標（ｘi、ｙi）は以下のように近似して求めることができる。但し、ａ、ｂ、ｃ、ｄはそれぞれ後述で定まる定数であるが、下記重回帰分析上は独立変数である。
【００７１】
【数３】
2016043081.tif 000005
【００７２】
各計測時刻Ｔｉの直線歩行路における推定位置座標（ｘi、ｙi）とＧＰＳ信号による位置計測結果（Ｘｉ、Ｙi）の距離の二乗の総和Ｓを最少二乗法によって処理して定数ａ、ｂ、ｃ、ｄを求める。ただし、Ｎは上記解析に用いた位置計測サンプル数、ｉは１〜Ｎのサンプル番号、Σはｉ＝１〜Ｎの総和を表す。
【００７３】
【数４】
2016043081.tif 000006
【００７４】
また、式３より、各時刻Ｔiの推定位置座標（ｘi、ｙi）が定まるため、その間の歩行速度ｖが求められる。
【００７５】
【数５】
2016043081.tif 000007
【００７６】
この段階では、単一地点の位置計測結果（Ｘｉ、Ｙi）の計測精度が低くとも、推定位置座標（ｘi、ｙi）とその間の歩行速度ｖの精度は大きく高まっている。同様の効果があれば、他の多変量解析手法を用いても良い。
【００７７】
次に、ＣＰＵ１１は、Ｓｔｅｐ６により求めた歩行速度及び歩幅の情報を解析装置５０に送信する。そして、送信された歩行速度及び歩幅は、解析装置５０において蓄積・解析され、同一条件下の歩行速度を抽出し、数週間ないし数か月間の変化傾向を判別して、端末保持者４０に通知する（Ｓｔｅｐ７）。なお、解析装置５０から端末保持者４０に対して数週間ないし数か月間の歩幅の変化傾向を判別して通知するようにしてもよい。
【００７８】
具体的には、解析装置５０は、歩行速度の推定を時間帯や日付を変えて一定期間継続的に行い、単回帰分析を行って当該一定期間の歩行速度の変化傾向を判別する。
【００７９】
日々の歩行速度は、本発明のような計測手段自体に基づく計測誤差の他に、その日の健康状態、気分や様々な環境要因によっても変化する。
【００８０】
計測手段自体に基づく計測誤差がその日の健康状態、気分や様々な環境要因による変動より十分に小さく、例えば３カ月や６か月といった長期間に明確な低下傾向を示せば、歩行速度低下傾向の兆候として認識することが有意と考えられる。
【００８１】
このような歩行速度の一定以上の低下傾向がある場合に、これをアラームとして端末保持者４０に伝え、意識的に健康増進を図るきっかけとする。また、その間の歩行速度の計測値を時系列でグラフにプロットして示すことも有意と考えられる。逆に、同様の期間で歩行速度が改善した場合も、それまでの間の努力の結果として伝えることが更なる健康改善意欲を引き出す上で有意である。
【００８２】
解析装置５０では、各測定回ｊの歩行速度をｖｊ、その各測定回の日時をｔｊとして、横軸を日時ｔｊ、縦軸を歩行速度ｖｊとした単回帰分析によって得られた回帰直線上の歩行速度をＶｊとして、歩行速度の時系列変化を示す回帰式を得る。ｅとｆは３以上の日時のデータｖｊとｔｊの単回帰分析によって得られた定数である。
【００８３】
【数６】
2016043081.tif 000008
【００８４】
歩行速度は、その日の気分や環境などだけでなく、友人と歩いていたり、急いでいたり、また、重い荷物を持っていたりというような事情によっても変わってくる。従って、式６から大きく外れたｖｊ値、例えばＶｊとの差の標準偏差の１ないし２倍以上離れた日時の歩行速度データを除外して単回帰分析をやり直す。新たに得られた単回帰直線は以下の式によって示される。
【００８５】
【数７】
2016043081.tif 000009
【００８６】
新たに得られた式７において、既述の段落００７６の標準偏差の１ないし２倍以内の数値のデータに組み替えて、更に単回帰分析をし直すというような手続きを２、３度繰り返して、回帰直線式から大きく外れた計測回の数値を計測条件が特異な異常値だと判断して除外していく。
【００８７】
また、クラスター分析など他の多変量解析手法で異常値を区分しても良い。なお、意識的に速く歩いた数値は、除外される場合があるが、例えばその時期の最高歩行速度として記録しておくことは有意である。
【００８８】
なお、一定時間の継続的なＧＰＳ信号による位置計測では、その途中でＧＰＳ信号を取得する衛星が入れ替わり、あるいは十分な数の衛星信号を取得できなくなる場合がある。本発明においては、３か月など一定期間における歩行速度の変化傾向を判別することが目的であるため、計測の度に解析結果を求める必要性に乏しい。このように十分な計測精度を期待できない場合は、計測値を廃棄し、同日の別時間帯の計測値を採用してもよいし、計測できない日があっても問題にならない。
【００８９】
また、歩行速度は、歩き慣れた道と初めての道では自ずと変わってくる。ＧＰＳ信号を用いているため、歩行速度計測を自宅周辺など特定の場所に限ることができる。また歩行速度は雨天など天候によっても変わるが、ＧＰＳ信号と天気予報を合せて、雨天時、降雪時や強風時の計測結果を除外することもできる。
【００９０】
このようにして、計測条件を揃えて、解析結果の精度を高めることが可能になる。以上のように、速度計測の度に必ずしも計測値を得る必要がない点に着目して、精度低下の原因となる計測値を廃棄する仕組みがなければ、実際上は本発明で求めるような高い計測精度を実現することは難しい。また一定の地域に居住する端末保持者４０にのみサービスすることも可能になる。
【００９１】
ＧＰＳの精度は公称値９５％（２ＤＲＭＳ）の確度で７．８ｍ以内となっている。実際には、さまざまな要因から、現時点での計測誤差は１０〜２０ｍあると言われている。ＧＰＳの位置の計測誤差（標準偏差）を１０ｍと仮定し、４８ｍの歩行距離を歩行速度６０ｍ／分で歩くと４８秒を要し、毎秒１回の速度計測で前後を入れて４９回の計測ができる。
【００９２】
本発明の手法により、４９回の計測値を最小二乗法で解析すると、その歩行速度の計測誤差の標準偏差は約３％まで縮小する。この標準偏差値は、歩行路が長くなり、あるいは計測時間間隔を短くし、ないしは歩行速度が低下すればより小さくなる。３か月間、雨天の日を除いて仮に８１回／日の計測を行い、３か月間のトレンドを見れば、３か月あたりの歩行速度低下量の推計値の計測誤差の標準偏差は０．３３％程度まで小さくなる。これにより、３か月間０．５ｍ／分程度（約▲０．８３％）の低下傾向を99%程度の確度（低下しているのに維持ないし増加傾向にあると誤判別しない）で判別できる。
【００９３】
なお、以上の例示から分かるように歩行速度変化量の計測精度は、計測時間の長さ、計測回数などを変えることである程度調整可能である。以上より、高精度の歩行速度変化傾向判別機能を実現できる。
【００９４】
次に、歩行能力の回復過程をＰＤＣＡサイクル、即ち回復手段の選択（Ｐｌａｎ）と、回復努力（Ｄｏ）と、リスク及び効果評価（Ｃｈｅｃｋ）と、回復手段の見直し及び修正（Ａｃｔ）という一連の流れに分解して以下に示す。
【００９５】
回復手段の選択（Ｐｌａｎ）では、歩行能力を回復させる手段は、適切な栄養摂取、様々な運動方法、運動時に併用する疲労回復方法、精神面での意欲維持方法など多彩であるが、それらの中から当該個人に効果的と考えられる方法を選択し、どのように取り組むかを決める。
【００９６】
歩行だけを取り上げても、現在では非常に多くのウォーキングクラブが発足しているが、１０ｋｍ以上、ときには４０ｋｍも歩くクラブもあれば、数ｋｍをゆっくり楽しみながら歩くクラブ、インターバルウォーキング、足腰が弱ってきた方を対象とするポールウォーキングクラブなど、多種多様にある。その中で一番簡単な方法を例示すれば、無理のない範囲でより多く歩くということになろう。
【００９７】
次に、回復努力（Ｄｏ）では、選択した手段を実行する。そして、リスク及び効果評価（Ｃｈｅｃｋ）では、回復に向けて一定期間努力した結果、当該効果がどの程度であったかを定量的に把握する。本発明においては、歩行速度及び歩幅の回復量になる。なお、ＰＤＣＡサイクルに取り組む最初の段階では、回復評価ではなく、状態評価及びリスク評価となる。
【００９８】
回復手段の見直し及び修正（Ａｃｔ）では、リスク及び効果評価（Ｃｈｅｃｋ）に基づき回復手段を見直し、修正する。リスク及び効果評価（Ｃｈｅｃｋ）において好ましい回復傾向が見られれば、回復意欲が高まり、更に運動量を増やそうとか、食などその他の手段も併用しようとするようなことが想定される。一方、リスク及び効果評価（Ｃｈｅｃｋ）において思ったような効果がなければ、その他の手段ややり方に修正するようなことが想定される。
【００９９】
以上はＰＤＣＡサイクルに分解して記したが、回復に向けて努力するとすれば、ＰＤＣＡサイクルを意識していなくても無意識に同様のプロセスを経ることが想定される。ただ、従来は適切にリスク及び効果評価（Ｃｈｅｃｋ）を行うことができなかったために、適切な手段の選択ができず、ＰＤＣＡサイクルを持続させることも難しかった。
【０１００】
しかしながら、本発明の高精度の歩行速度変化傾向判別機能によってリスク及び効果評価（Ｃｈｅｃｋ）が可能になるため、一定数のサンプルを前提にすれば、効果の程度と、複数サンプルにおける再現性を検証できる。また、その効果と再現性を実現するための条件も検証できる。
【０１０１】
効果と再現性を検証できるということは、利用者に対して検証済みの再現性のある効果を示せること、即ち歩行能力の回復を方法論として確立できることを意味する。回復手段の選択（Ｐｌａｎ）に際しては、様々な手段の効果と再現性が検証されており、どのような状態の人に有効かが予め分かっていれば、より良い選択が可能になる。
【０１０２】
また、回復努力（Ｄｏ）では、効果と再現性が検済みであるため、本人の回復意欲が喚起され、さらに、リスク及び効果評価（Ｃｈｅｃｋ）で意欲が維持されるという好循環が期待できる。以上により、健康寿命延伸の鍵となる歩行能力回復の方法論を確立することができると考えられる。
【０１０３】
なお、前述の方法論に基づき、効果と再現性が検証された、歩行能力の回復を促すＰＤＣＡサイクルのサービスの構築が可能になる。そのサービスにおいては、付帯事項として下記の内容も加味できる。
【０１０４】
歩行速度や歩幅は、歩行能力だけでなく、性格その他によっても人それぞれ異なり、単に同年代の他者と比べて速度を比較してもその意義は薄いと思われるが、速度変化の程度を同年代の他者と比較することは有意と考えられる。また、自分自身の長期間の速度変化を追うことで、体力の低下ないし回復傾向を判別できるようになる。歩行速度が遅くなった後に歩行能力を回復した場合、自分が自身の何歳のときの状態まで回復したかというような指標が得られる。
【０１０５】
歩幅と併せて評価できるため、単に歩を速めているだけか、歩幅も含めて回復しているのかが分かる。歩行消費エネルギー推定値も参考指標になる。位置情報と端末所持者の通常歩行速度が分かるため、同一地域で同程度の歩行速度の人をリストアップすることが可能になる。端末所持者の予めの同意に基づき、歩行能力に合わせた歩行イベントやクラブ参加の誘いなどの案内を配信することが可能になる。
【０１０６】
介護予防を目的としたクラブでは、会員の歩行速度変化の平均値を示すなど、端末保持者４０の意欲喚起のための様々な取り組みが可能になる。同意した者同士の情報交換によって、刺激を受け、例えば歩行速度を回復した方が他者にその秘訣を伝授するなどの支援によって、健康増進行為の継続、頑張りが期待できる。
【０１０７】
歩行速度や歩幅の変化を端末保持者４０に伝えるサービスは、それ単独でも有意であるが、歩行能力の改善効果が期待できる製品・サービスの効果検証が可能になるため、その検証結果に基づき製品・サービスをタイミングよく推奨することが可能になる。同時に、その改善効果を継続的に検証し、その検証結果の更なる蓄積を可能にする。
【０１０８】
このように、解析装置５０と通信で繋げた携帯端末１０と歩行能力回復効果のある製品及びサービスを併せて、ＰＤＣＡサイクルによる虚弱化リスク及び改善度評価サービス付き製品ないしサービスとも言えるような、まったく新しい健康市場を創出することが可能になる。
【０１０９】
当該個人が歩行速度の変化を保健所に自動的に伝えることに同意すれば、保健所は体力の衰えが急速に進みつつある人を個別に抽出することが可能になり、その当該個人に個別に当たって回復を支援するようなことも可能になる。
【０１１０】
これまでの手計測での歩行速度の計測では、年齢とともに変化する歩行速度に関する研究において、十分な数の被験者を集めることが難しく、５歳年齢階級別、性別の歩行速度の変化しか解析できなかった。集まる被験者が比較的健康な人に限られ、歩行能力が相当程度低下した人は計測会場に来ることができない。
【０１１１】
従来の加速度センサによる歩行速度の計測は端末操作を必要とするため、計測を意識した時の速度の計測となってしまい、また長期間の計測継続も実際上困難だった。また歩行路が直線か折れ曲がっているか、歩き慣れた道か初めての道かなどの判別が行われず、他者と歩行環境条件を揃えた計測もできなかった。
【０１１２】
携帯端末の保持だけで無意識に歩行速度が計測される仕組みであれば、携帯端末を死蔵させない限りは歩行ができない状況になるまで経過を把握することができ、多人数の長期間の推移を追うことが可能になる。十分なサンプル数の長期間の計測値が得られれば、年齢別、性別、身長別などの詳細な解析が可能になり、また様々な製品及びサービスを使用した群とコントロール群との比較評価も可能になる。
【０１１３】
このような解析、比較評価に基づき、歩行能力の回復を促す製品及びサービスの開発が可能になり、その効果と再現性の検証結果を回復手段の選択（Ｐｌａｎ）の選択基準として示すことが可能となる。
【符号の説明】
【０１１４】
１              レコーディング装置
１０            携帯端末
１１、５１            ＣＰＵ
１２、５２            記憶装置
１３            センサ
１４、５３            通信装置
１５            ＧＰＳ等位置計測装置
４０            端末保持者
５０            解析装置
６０            保健所
【図１】
2016043081.tif 000010
【図２】
2016043081.tif 000011
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
携帯端末及び解析装置を備えたレコーディング装置において、
前記携帯端末は、
位置計測装置及びセンサを備え、
前記位置計測装置から前記携帯端末の位置情報を取得し、
前記センサから歩行者が平坦かつ直線を歩行しているか否かを示す計測情報を取得し、
前記計測情報に基づいて、前記位置情報のうちの歩行者が平坦かつ直線を歩行している場合の位置情報を抽出し、
前記抽出した位置情報に基づいて、歩行者の歩行速度及び歩幅を算出し、
前記解析装置は、
前記携帯端末により算出された歩行速度及び歩幅と、同一歩行者の過去の歩行速度及び歩幅とを比較し、歩行速度及び歩幅の変化を歩行者に通知する
ことを特徴とするレコーディング装置。
【請求項２】
前記携帯端末は、
前記位置計測装置から前記携帯端末の位置情報を常時取得する
ことを特徴とする請求項１に記載のレコーディング装置。
【請求項３】
前記携帯端末は、
前記センサから歩行者が平坦かつ直線を歩行しているか否かを示し、かつ、一定時間一定以上のテンポで歩行しているか否かを示す計測情報を取得し、
前記計測情報に基づいて、前記位置情報のうちの歩行者が平坦かつ直線を一定時間一定以上のテンポで歩行している場合の位置情報を抽出する
ことを特徴とする請求項１に記載のレコーディング装置。
【請求項４】
前記携帯端末は、
前記計測情報により、一定時間、歩数カウントのテンポが一定以上継続した場合、前記位置計測装置を作動させて、前記位置情報を取得する
ことを特徴とする請求項１に記載のレコーディング装置。
【請求項５】
前記携帯端末は、
前記計測情報により、歩行速度の加速、減速あるいは歩行方向の変化を判別したことに基づいて位置情報抽出の対象とする時間帯を定める
ことを特徴とする請求項１に記載のレコーディング装置。
【請求項６】
前記携帯端末は、
前記位置情報と前記位置情報の取得時刻とに基づいて、多変量解析によって計測誤差を縮小させることにより歩行速度を算出する
ことを特徴とする請求項１に記載のレコーディング装置。
【請求項７】
前記解析装置は、
前記携帯端末により算出された歩行速度に基づいて、回帰分析によって一定期間の歩行速度及び歩幅の変化傾向を解析する
ことを特徴とする請求項１に記載のレコーディング装置。
【請求項８】
前記解析装置は、
歩行速度及び歩幅の変化傾向を歩行者に通知し、歩行速度の一定以上の低下傾向がある場合、歩行能力を回復させる手段を歩行者に通知する
ことを特徴とする請求項６に記載のレコーディング装置。
【請求項９】
前記解析装置は、
前記携帯端末により算出された歩行速度及び歩幅と、他の歩行者の携帯端末により算出された歩行速度及び歩幅とを比較し、歩行速度及び歩幅の変化を歩行者に通知する
ことを特徴とする請求項１に記載のレコーディング装置。
【請求項１０】
前記センサは、
歩数のカウント及び歩行速度の加速、減速情報を検出する加速度センサと、歩行方向の変化を検出するジャイロセンサと、歩行路が直線であるかを検出する磁気センサと歩行路が平坦であるかを検出する気圧センサとを備える
ことを特徴とする請求項１に記載のレコーディング装置。
【請求項１１】
歩行速度及び歩幅を検出する携帯端末において、
ＣＰＵ、位置計測装置及びセンサを備え、
前記ＣＰＵは、
前記位置計測装置から前記携帯端末の位置情報を取得し、
前記センサから歩行者が平坦かつ直線を歩行しているか否かを示す計測情報を取得し、
前記計測情報に基づいて、前記位置情報のうちの歩行者が平坦かつ直線を歩行している場合の位置情報を抽出し、
前記抽出した位置情報に基づいて、歩行者の歩行速度及び歩幅を算出する
ことを特徴とする携帯端末。
【請求項１２】
歩行速度及び歩幅を解析する解析装置において、
携帯端末により算出された歩行速度及び歩幅と、同一歩行者の過去の歩行速度及び歩幅とを比較し、歩行速度及び歩幅の変化を歩行者に通知する
ことを特徴とする解析装置。
【請求項１３】
歩行速度及び歩幅を検出する携帯端末のコンピュータに、
位置計測装置から前記携帯端末の位置情報を取得する第１のステップと、
センサから歩行者が平坦かつ直線を歩行しているか否かを示す計測情報を取得第２のステップと、
前記計測情報に基づいて、前記位置情報のうちの歩行者が平坦かつ直線を歩行している場合の位置情報を抽出する第３のステップと、
前記抽出した位置情報に基づいて、歩行者の歩行速度及び歩幅を算出する第４のステップとを実行させる
ことを特徴とするプログラム。
【請求項１４】
歩行速度及び歩幅を解析する解析装置のコンピュータに、
携帯端末により算出された歩行速度及び歩幅と、同一歩行者の過去の歩行速度及び歩幅とを比較する第１のステップと、
歩行速度及び歩幅の変化を歩行者に通知する第２のステップとを実行させる
ことを特徴とするプログラム。
【請求項１５】
歩行速度及び歩幅を検出する携帯端末のコンピュータに、
位置計測装置から前記携帯端末の位置情報を取得する第１のステップと、
センサから歩行者が平坦かつ直線を歩行しているか否かを示す計測情報を取得する第２のステップと、
前記計測情報に基づいて、前記位置情報のうちの歩行者が平坦かつ直線を歩行している場合の位置情報を抽出する第３のステップと、
前記抽出した位置情報に基づいて、歩行者の歩行速度及び歩幅を算出する第４のステップと
を実行させるためのプログラムを記録したコンピュータ読み取り可能な記録媒体。
【請求項１６】
歩行速度及び歩幅を解析する解析装置のコンピュータに、
携帯端末により算出された歩行速度及び歩幅と、同一歩行者の過去の歩行速度及び歩幅とを比較する第１のステップと、
歩行速度及び歩幅の変化を歩行者に通知する第２のステップと
を実行させるためのプログラムを記録したコンピュータ読み取り可能な記録媒体。
【手続補正２】
【補正対象書類名】明細書
【補正対象項目名】００３１
【補正方法】変更
【補正の内容】
【００３１】
かかる課題を解決するために、本発明においては、携帯端末及び解析装置を備えたレコーディング装置において、前記携帯端末は、位置計測装置及びセンサを備え、前記位置計測装置から前記携帯端末の位置情報を取得し、前記センサから歩行者が平坦かつ直線を歩行しているか否かを示す計測情報を取得し、前記計測情報に基づいて、前記位置情報のうちの歩行者が平坦かつ直線を歩行している場合の位置情報を抽出し、前記抽出した位置情報に基づいて、歩行者の歩行速度及び歩幅を算出し、前記解析装置は、前記携帯端末により算出された歩行速度及び歩幅と、同一歩行者の過去の歩行速度及び歩幅とを比較し、歩行速度及び歩幅の変化を歩行者に通知するようにした。
【手続補正３】
【補正対象書類名】明細書
【補正対象項目名】００３２
【補正方法】変更
【補正の内容】
【００３２】
また、本発明においては、歩行速度及び歩幅を検出する携帯端末において、プロセッサ、位置計測装置及びセンサを備え、前記プロセッサは、前記位置計測装置から前記携帯端末の位置情報を取得し、前記センサから歩行者が平坦かつ直線を歩行しているか否かを示す計測情報を取得し、前記計測情報に基づいて、前記位置情報のうちの歩行者が平坦かつ直線を歩行している場合の位置情報を抽出し、前記抽出した位置情報に基づいて、歩行者の歩行速度及び歩幅を算出するようにした。
【手続補正４】
【補正対象書類名】明細書
【補正対象項目名】００３３
【補正方法】変更
【補正の内容】
【００３３】
また、本発明においては、歩行速度及び歩幅を解析する解析装置において、携帯端末により算出された歩行速度及び歩幅と、同一歩行者の過去の歩行速度及び歩幅とを比較し、歩行速度及び歩幅の変化を歩行者に通知するようにした。
【手続補正５】
【補正対象書類名】明細書
【補正対象項目名】００３４
【補正方法】変更
【補正の内容】
【００３４】
また、本発明においては、歩行速度及び歩幅を検出する携帯端末のコンピュータに、位置計測装置から携帯端末の位置情報を取得する第１のステップと、センサから歩行者が平坦かつ直線を歩行しているか否かを示す計測情報を取得第２のステップと、前記計測情報に基づいて、前記位置情報のうちの歩行者が平坦かつ直線を歩行している場合の位置情報を抽出する第３のステップと、前記抽出した位置情報に基づいて、歩行者の歩行速度及び歩幅を算出する第４のステップとを実行させるようにした。
【手続補正６】
【補正対象書類名】明細書
【補正対象項目名】００３５
【補正方法】変更
【補正の内容】
【００３５】
また、本発明においては、歩行速度及び歩幅を解析する解析装置のコンピュータに、携帯端末により算出された歩行速度及び歩幅と、同一歩行者の過去の歩行速度及び歩幅とを比較する第１のステップと、歩行速度及び歩幅の変化を歩行者に通知する第２のステップとを実行させるようにした。
【手続補正７】
【補正対象書類名】明細書
【補正対象項目名】００３７
【補正方法】変更
【補正の内容】
【００３７】
また、本発明においては、歩行速度及び歩幅を検出する携帯端末のコンピュータに、位置計測装置から携帯端末の位置情報を取得する第１のステップと、センサから歩行者が平坦かつ直線を歩行しているか否かを示す計測情報を取得第２のステップと、前記計測情報に基づいて、前記位置情報のうちの歩行者が平坦かつ直線を歩行している場合の位置情報を抽出する第３のステップと、前記抽出した位置情報に基づいて、歩行者の歩行速度及び歩幅を算出する第４のステップとを実行させるためのプログラムを記録し、コンピュータ読み取り可能にするようにした。
【手続補正８】
【補正対象書類名】明細書
【補正対象項目名】００３８
【補正方法】変更
【補正の内容】
【００３８】
また、本発明においては、歩行速度及び歩幅を解析する解析装置のコンピュータに、携帯端末により算出された歩行速度及び歩幅と、同一歩行者の過去の歩行速度及び歩幅とを比較する第１のステップと、歩行速度及び歩幅の変化を歩行者に通知する第２のステップとを実行させるためのプログラムを記録し、コンピュータ読み取り可能にするようにした。
【国際調査報告】
2016043081.tif 000012
2016043081.tif 000013
2016043081.tif 000014
2016043081.tif 000015